(57)【特許請求の範囲】
【請求項１】
第１基板と、平面視で前記第１基板よりも大きく形成された第２基板との間に電気泳動素子を挟持してなる電気泳動表示装置において、
前記第１基板の前記第２基板とは反対側の面に設けられ、平面視で前記第１基板よりも大きく形成されたガラス基板と、
前記ガラス基板と前記第２基板との間にこれらの基板に接して配置され、これら前記ガラス基板および前記第２基板の間で前記電気泳動素子を封止する封止部材と、を備え、
前記第１基板の前記ガラス基板と対向する側の面の少なくとも一辺に当該第１基板の厚さ方向に対して傾斜する傾斜部が設けられており、
前記傾斜部と前記封止部材と前記ガラス基板とによって囲まれた領域に空隙が設けられていることを特徴とする電気泳動表示装置。
【請求項２】
前記封止部材による封止幅が異なる場合において、
前記封止幅が大きい辺に前記傾斜部が設けられていることを特徴とする請求項１記載の電気泳動表示装置。
【請求項３】
前記傾斜部が、前記素子基板上の端子と当該素子基板の前記電気泳動素子とは反対側の面に設けられる接続基板の端子とがワイヤーボンディングによって接続される側の辺に設けられていることを特徴とする請求項１または２記載の電気泳動表示装置。
【請求項４】
前記傾斜部が、前記ガラス基板側に向く傾斜面からなることを特徴とする請求項１から３のいずれか一項に記載の電気泳動表示装置。
【請求項５】
前記傾斜部が前記ガラス基板側に突出する曲面からなることを特徴とする請求項１から３のいずれか一項に記載の電気泳動表示装置。
【請求項６】
前記傾斜部が前記第１基板の厚さ方向に対して外側に５°以上の角度で傾斜していることを特徴とする請求項１から５のいずれか一項に記載の電気泳動表示装置。
【請求項７】
前記傾斜部に対応する前記ガラス基板の側端部の厚みが他の部分よりも薄くなっていることを特徴とする請求項１から６のいずれか一項に記載の電気泳動表示装置。
【請求項８】
前記ガラス基板の側端部が前記封止部材の側端部よりも面方向内側に位置していることを特徴とする請求項７記載の電気泳動表示装置。
【請求項９】
前記傾斜部が、前記第１基板の全辺に設けられていることを特徴とする請求項１から８のいずれか一項に記載の電気泳動表示装置。
【請求項１０】
請求項１から９のいずれか一項に記載の電気泳動表示装置を備えることを特徴とする電子機器。
【発明の詳細な説明】
【技術分野】
【０００１】
本発明は、電気泳動表示装置および電子機器に関するものである。
【背景技術】
【０００２】
従来では、電気泳動素子に対する防湿対策として、透明基板上に複数のマイクロカプセルを配置してなる電気泳動素子を一対のガラス基板で挟持するとともにこれらガラス基板間に配置されたエポキシ等の封止部材によって電気泳動素子の全周を密封した構成とされていた（例えば、特許文献１）。
【先行技術文献】
【特許文献】
【０００３】
【特許文献１】特開２００９−１４５８３３号公報
【発明の概要】
【発明が解決しようとする課題】
【０００４】
封止部材を構成するエポキシ系樹脂材料の熱膨張係数は透明基板やガラス基板の熱膨張係数よりも高く、ＰＬと同じくらいである。このため、低温環境に放置等した場合には封止部材が収縮する。このような熱膨張係数の違いからガラス基板と封止部材との間で局部的な応力が生じ、ガラス基板における電気泳動素子と封止部材との境界部分に集中荷重が生じ、これによってガラス基板が割れるなどの現象が起きてしまうことがあった。
【０００５】
本発明は、上記従来技術の問題点に鑑み成されたものであって、低温環境において封止部材が熱収縮した際に生じるガラス基板への集中荷重（応力）を緩和して割れを防止することが可能な電気泳動表示装置および電子機器を提供することを目的の一つとしている。
【課題を解決するための手段】
【０００６】
本発明の電気泳動表示装置は、上記課題を解決するために、第１基板と、平面視で前記第１基板よりも大きく形成された第２基板との間に電気泳動素子を挟持してなる電気泳動表示装置において、前記第１基板の前記第２基板とは反対側の面に設けられ、平面視で前記第１基板よりも大きく形成されたガラス基板と、前記ガラス基板と前記第２基板との間にこれらの基板に接して配置され、これら前記ガラス基板および前記第２基板の間で前記電気泳動素子を封止する封止部材と、を備え、前記第１基板の前記ガラス基板と対向する側の面の少なくとも一辺に当該第１基板の厚さ方向に対して傾斜する傾斜部が設けられており、前記傾斜部と前記封止部材と前記ガラス基板とによって囲まれた領域に空隙が設けられていることを特徴とする。
【０００７】
本発明によれば、第１基板の少なくとも一辺に該第１基板の厚さ方向に対して傾斜する傾斜部が設けられていることから、封止部材が熱収縮した場合にガラス基板を撓ませることが可能である。傾斜部を設けてガラス基板が変形可能な構成とすることによって、封止部材が熱収縮した場合にもガラス基板に対する集中荷重（応力）を緩和してガラス割れを防止することができる。これにより、電気泳動素子に対する封止性を維持することが可能である。
【０００８】
また、前記封止部材による封止幅が異なる場合において、前記封止幅が大きい辺に前記傾斜部が設けられていることが好ましい。
【０００９】
本発明によれば、封止部材による封止幅が大きい辺に傾斜部が設けられているので、封止部材の熱収縮による応力の影響を受けやすい電気泳動素子の端部側においてガラス基板にかかる集中荷重を緩和することができる。
【００１０】
また、前記傾斜部が、前記素子基板上の端子と当該素子基板の前記電気泳動素子とは反対側の面に設けられる接続基板の端子とがワイヤーボンディングによって接続される側の辺に設けられていることが好ましい。
【００１１】
本発明によれば、封止部材の封止幅が大きくなりやすいワイヤーボンディング接続側の辺に傾斜部を設けておくことにより、封止部材の熱収縮によって封止幅が広い部分においてもガラス基板への集中荷重を緩和することができる。
【００１２】
また、前記傾斜部が、前記ガラス基板側に向く傾斜面からなることが好ましい。
【００１３】
本発明によれば、傾斜部がガラス基板側に向く傾斜面からなることから、所定の傾斜角度で形成しやすい。
【００１４】
また、前記傾斜部が前記ガラス基板側に突出する曲面からなることが好ましい。
【００１５】
本発明によれば、傾斜部がガラス基板側に突出する曲面からなることから、ガラス基板の撓み角度を緩やかにすることができる。
【００１６】
また、前記傾斜部が前記第１基板の厚さ方向に対して外側に５°以上の角度で傾斜していることが好ましい。
【００１７】
本発明によれば、傾斜部の傾斜角度が５°以上であることから、ガラス基板に接する第１基板の角部の角度が鈍角となり、該角部に接するガラス基板にかかる応力を緩和することができる。
【００１８】
また、前記傾斜部に対応する前記ガラス基板の側端部の厚みが他の部分よりも薄くなっていることが好ましい。
【００１９】
本発明によれば、傾斜部に対応するガラス基板の側端部の厚みが他の部分よりも薄くなっていることから、ガラス基板が撓みやすい。
【００２０】
また、前記ガラス基板の側端部が前記封止部材の側端部よりも面方向内側に位置していることが好ましい。
【００２１】
本発明によれば、第１基板の傾斜部に対応するガラス基板の側端部が封止部材の側端部よりも基板の面方向内側に位置していることから、封止部材による封止能力を低下させることなく、ガラス基板と接続基板との重畳領域を小さくすることができ、ガラス基板に対して応力が作用する範囲を小さくすることができる。
【００２２】
また、前記傾斜部が、前記第１基板の全辺に設けられていることが好ましい。
【００２３】
本発明によれば、傾斜部が第１基板の全辺に設けておくことにより、ガラス基板の各辺を撓ませることが可能となり、電気泳動表示装置の耐久性を高めることが可能である。
【００２４】
また、前記傾斜部と前記封止部材と前記ガラス基板によって囲まれた領域に空隙が設けられていることが好ましい。
【００２５】
本発明によれば、傾斜部と封止部材とガラス基板とによって囲まれた領域内には封止部材が充填されていないため、ガラス基板が撓みやすい。
【００２６】
本発明の電子機器は、先に記載の本発明の電気泳動表示装置を備えていることから、高耐久性で信頼性に優れた電子機器となる。
【図面の簡単な説明】
【００２７】
【図１】第１実施形態に係る電気泳動表示装置の全体構成を示す平面図。
【図２】第１実施形態に係る電気泳動表示装置のＡ−Ａ断面に沿った構成を示す断面図。
【図３】電気泳動表示装置の変形例を示す断面図。
【図４】第２実施形態に係る電気泳動表示装置の概略構成を示す断面図。
【図５】電子機器の一例を示す図。
【図６】電子機器の一例を示す図。
【図７】電子機器の一例を示す図。
【発明を実施するための形態】
【００２８】
以下、本発明の実施形態につき、図面を参照して説明する。なお、以下の説明に用いる各図面では、各部材を認識可能な大きさとするため、各部材の縮尺を適宜変更している。
【００２９】
［第１実施形態］
図１は、本発明の第１実施形態である電気泳動表示装置の全体構成を示す平面図である。図２は、第１実施形態の電気泳動表示装置におけるＡ−Ａ断面に沿った構成を示す断面図である。
図１及び図２に示すように、電気泳動表示装置１００は、電気泳動表示パネル１０、電気泳動素子１１、ガラス基板４、接続基板５および封止部材６を備えている。電気泳動表示装置１００は、素子基板２（第２基板）上に電気泳動シート３が貼り付けられた構成になっている。また、電気泳動シート３の透明基板３０上にはガラス基板４が配置されており、素子基板２のうち電気泳動シート３と反対側には接続基板５が配置されている。そして、素子基板２およびガラス基板４の間に電気泳動層３１の回りを囲むようにして封止部材６が配置されている。
【００３０】
電気泳動表示装置１００は、平面視で画素電極２５の配列された領域が表示領域７となっている。表示領域７では、平面視における各画素電極２５の形成領域が画素領域となっており、画素領域毎に静止画や動画等の画像が表示されるようになっている。表示領域７の周囲は、画像が表示されない非表示領域８となっている。
【００３１】
素子基板２は、基材２０、駆動層２１、駆動回路素子２２，２３及び端子２７を有している。基材２０は、例えば３０μｍ〜１００μｍ程度の厚さを有する板状部材である。基材２０の構成材料としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などが挙げられる。
【００３２】
駆動層２１は、基材２０の内面２０ａのうち平面視で電気泳動シート３と重なる領域に設けられた層である。平面的な駆動層２１の形成領域は、表示領域７と略一致しており、駆動回路素子２２及び２３はこの駆動層２１の周縁部（非表示領域８）に設けられている。これら駆動回路素子２２及び２３はデータ線や走査線に電気的に接続されており、駆動層２１に信号を供給するようになっている。
【００３３】
駆動層２１は、絶縁層２４、複数の画素電極２５及び複数のスイッチング素子２６を有している。画素電極２５は、平面視で例えばマトリクス状に配列された電極である。スイッチング素子２６は、画素電極２５毎に設けられた素子である。スイッチング素子２６には、不図示のデータ線及び走査線などが接続されている。絶縁層２４は、これら各部を覆うように基材２０上に形成されている。
【００３４】
端子２７は、基材２０の内面２０ａ上のうち平面視で電気泳動シート３から外れた領域に設けられている。端子２７は、素子基板２の一辺に沿って複数配列されている。端子２７には不図示の配線群が接続されている。当該配線群は、例えば上記走査線やデータ線などに接続されている。
【００３５】
電気泳動シート３（電気泳動素子）は、透明基板３０（第１基板）、電気泳動層３１及び接着層３３を有している。
透明基板３０は電気泳動層３１を保持する、光透過性を有するシートであり、２５μｍ〜２００μｍ程度（本実施形態では１２５μｍ）の厚さを有している。透明基板３０の構成材料としては、例えばポリエチレンテレフタレート（ＰＥＴ）、ポリエーテルスルホン（ＰＥＳ）、ポリカーボネイト（ＰＣ）など光透過性の高い材料などが挙げられる。例えば透明基板３０の外面３０ａには、不図示の防湿シートなどが配置されていても構わない。
【００３６】
本実施形態の透明基板３０には、その少なくとも一辺に透明基板３０の側面に対して所定の角度で傾斜する傾斜部３０Ａが故意に設けられている。この傾斜部３０Ａは透明基板３０の外面３０ａ上に設けられたガラス基板４側に向く傾斜面であって、透明基板３０の内面３０ｂの内縁部Ｐ１とこれよりも面方向内側に位置する外縁部Ｑ１とを繋ぐようにして、例えば透明基板３０の厚さ方向に対して外側に５°以上の角度で傾斜している。傾斜角度の範囲としては、５°〜４５°の範囲内が好ましい。
具体的に傾斜部３０Ａは、素子基板２と接続基板５とがワイヤーボンディング接続される側の辺に沿ってその全体に設けられている。
【００３７】
なお、透明基板３０に傾斜部３０Ａを形成するのは、電気泳動シート３を素子基板２上に貼り合わせる前の単体の状態において形成してもいいし、電気泳動シート３を素子基板２上に貼り合わせた状態において形成してもよい。いずれにせよ、傾斜面であることからガラス基板を加工しやすい。
【００３８】
共通電極（図示略）は、透明基板３０の内面３０ｂのほぼ全面に亘って形成され、例えばＩＴＯなどの光透過性の高い導電材料で構成されている。この共通電極は、上下導通材９を介して素子基板２に電気的に接続された状態になっている。
【００３９】
電気泳動層３１は、複数のマイクロカプセル３２を有している。
マイクロカプセル３２は電気泳動分散液が封入された略球状のカプセルであり、各カプセルの直径はほぼ同一（３０μｍ〜１００μｍ）になっている。マイクロカプセル３２のカプセル壁膜を構成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液相分散媒とからなる。
【００４０】
液相分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、又はこれらの混合物に界面活性剤等を配合したものを用いることができる。
【００４１】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００４２】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００４３】
接着層３３は、バインダを兼ねた接着剤である。接着層３３としては、例えばマイクロカプセル３２のカプセル壁膜に対する親和性が良好で、画素電極２５に対する接着性に優れた接着剤を用いることが好ましい。
【００４４】
上記構成の電気泳動シート３が、接着層３３を介して素子基板２の内面２０ａ上に貼り合わされることで電気泳動表示パネル１０が構成されることになる。
【００４５】
ガラス基板４は、透明基板３０の外面３０ａ上に接着層（不図示）を介して配置された基板であって、平面視における大きさが透明基板３０および素子基板２よりも大きく形成されている。本実施形態においでは、ガラス基板４として、光透過性が高く、平坦度が優れ、キズがつきにくいガラス基板が用いられる。具体的には、無機ガラスや、クリスタルガラス、サファイヤガラスや、アクリルガラスなどを用いることができる。ガラス基板４は、素子基板２及び透明基板３０とともに電気泳動層３１を覆う構成になっており、当該構成によって電気泳動層３１に水分の浸入がより確実に防止されるようになっている。
【００４６】
接続基板５は、平面視における大きさがガラス基板４の大きさと一致している。この接続基板５は、素子基板２側の表面に基材５０及び端子５１を有している。接続基板５は、素子基板２の基材２０の外面２０ｂ上に配置された矩形状の板状部材であり、平面視でガラス基板４に重なる位置に設けられている。図１および図２に示すように、接続基板５は、電気泳動表示パネル１０の外周側に貼り出すとともに、ガラス基板４の外周側に部分的に貼り出す大きさで形成されている。端子５１は、電気泳動表示パネル１０の外側に部分的に張り出した領域に設けられており、電気泳動表示パネル１０側の端子２７とワイヤー１１１を介して電気的に接続されている。また、接続基板５は、電気泳動表示パネル１０を支持する支持基板としての機能も有する。
【００４７】
封止部材６は、電気泳動層３１を封止する部分であって、電気泳動表示パネル１０の素子基板２とガラス基板４の周縁部同士の間に配置され、電気泳動層３１の周方向を囲うようにして形成されている。封止部材６の材料としては、例えばエポキシ樹脂などの樹脂材料が挙げられる。
【００４８】
本実施形態の構成によれば、電気泳動シート３の透明基板３０の少なくとも一辺に、該基板の厚さ方向（側面）に対して外側に所定の角度で傾斜する傾斜部３０Ａがガラス基板４側に向くように設けられていることから、封止部材６が熱収縮した場合にその樹脂の収縮に応じてガラス基板４を撓ませることが可能である。上述したように、傾斜部３０Ａはガラス基板４に対向して形成されているので、封止部材６が接しているガラス基板４の端部が封止部材６の収縮によって引っ張られるようにして内側へ変形することのできる構成となっている。
【００４９】
このように傾斜部３０Ａを設けてガラス基板４の変形を許容できる構成とすることで、エポキシ系樹脂材料からなる封止部材６とガラス基板からなるガラス基板４との熱膨張係数の違いによって、電気泳動シート３と封止部材６との境界部分におけるガラス基板４に対して局部的な応力が生じるのを防止することができる。つまり、傾斜部３０Ａによって電気泳動シート３の透明基板３０の角部が支点になりにくくなり、透明基板３０の一部に集中荷重が生じないようにすることができる。
【００５０】
また、傾斜部３０Ａによってガラス基板４が撓む際の支点が封止部材６から離れることで、ガラス基板４に対して応力が作用する範囲が広くなり応力が分散される。透明基板３０に傾斜部３０Ａがあることでガラス基板４が撓む際の支点が該基板の変形量（封止部材６の収縮量）に応じて移動するため、ガラス基板４に生じる集中荷重を緩和することが可能となる。
【００５１】
本実施形態では、電気泳動シート３の透明基板３０の少なくとも一辺に傾斜部３０Ａが設けてあり、具体的には、素子基板２と接続基板５とがワイヤーボンディング接続される側の辺全体に設けられている。ガラス基板４におけるワイヤーボンディング側の辺は封止部材６による封止幅が他の辺よりも広くなっているためガラス基板４が封止部材６に接する領域が多く、封止部材６の熱収縮による影響を受けやすい。そこで、封止部材６による封止幅が広くなっている側の辺に傾斜部３０Ａを設けてガラス基板４の端部が撓みやすい構成にすることで、電気泳動シート３と封止部材６との境界部分に対応するガラス基板４の所定箇所に集中応力がかかりにくくなる。
【００５２】
このような結果、電気泳動表示装置１００を低温環境に放置等した場合に封止部材６が収縮した場合でも、電気泳動シート３と封止部材６との境界部分における集中応力によってガラス基板４が割れるなどの現象が起きるのを阻止することが可能である。したがって、電気泳動シート３に対する防湿性も長期的に確保されて耐久性に優れたものとなり、電気泳動表示装置１００としての信頼性を向上させることができる。
【００５３】
なお、封止部材６による平面視における封止幅が透明基板３０の各辺ごとに異なる場合は、少なくともその封止幅が最も大きい辺に傾斜部３０Ａを設けておくようにする。
また、本実施形態では透明基板３０の一辺に傾斜部３０Ａを設けた構成にしたが、透明基板３０の４辺全てに傾斜部３０Ａが設けられていてもよい。これにより、ガラス基板４の各辺が封止部材６の熱収縮によって撓むことが可能になるので、ガラス基板４の破損防止効果をより高められる。
【００５４】
また、本実施形態においては、傾斜部３０Ａの傾斜角度が５°以上４５°以下の範囲内で設定されることから、ガラス基板４に接する透明基板３０の角部の角度を鈍角にすることができ、この角部に接するガラス基板４にかかる集中応力を緩和することができる。
【００５５】
また、本実施形態においては、透明基板３０と封止部材６とガラス基板４とによって囲まれた領域が空隙となっていることが好ましい。ガラス基板４と透明基板３０との間に封止部材６が充填されていないのでガラス基板４が変形しやすくなる。なお、この空隙は封止部材６による封止性能を低下させることのない大きさとする。
【００５６】
また、本実施形態では傾斜面からなる傾斜部３０Ａについて述べたが、図４に示すように外側に突出する曲面からなる傾斜部３０Ｂであってもよい。傾斜部３０Ａがガラス基板４側に突出する曲面から構成することにより、ガラス基板４の撓み角度を緩やかにすることができ、ガラス基板４に対して局部的に集中応力がかかることが防止される。
また、ガラス基板４の大きさも接続基板５の大きさに一致させる必要はない。
【００５７】
［第２実施形態］
次に、第２実施形態の電気泳動表示装置について述べる。図４は、本実施形態の電気泳動表示装置の概略構成を示す断面図である。
【００５８】
先に示した電気泳動表示装置の対向基板の平面視における大きさは接続基板５と一致していたが、本実施形態における電気泳動表示装置２００では、図４に示すようにガラス基板１４の大きさが接続基板５よりも小さい形状となっており、透明基板３０の傾斜部３０Ａに対応するガラス基板１４の側端部が封止部材６の側端部よりも基板の面方向内側に位置している。
【００５９】
ガラス基板１４は、少なくとも透明基板３０の傾斜部３０Ａに対応する辺に、ガラス基板１４の側面に対して所定の角度で傾斜する傾斜部１４Ａが設けられている。この傾斜部１４Ａは透明基板３０とは反対側の外側に向く傾斜面であって、ガラス基板１４の内面１４ｂの内縁部Ｐ２とこれよりも面方向内側に位置する外縁部Ｑ２とを繋ぐようにして、ガラス基板１４の厚さ方向に対して所定の傾斜角度で傾斜している。例えば、ガラス基板４の側面に対して５°以上４５°以下の範囲内であることが好ましい。
この傾斜部１４Ａによってガラス基板１４の端部側の厚みが中央部分よりも薄くなっている。端部が側の厚みを薄くすることでガラス基板４の変形性が高められる。
【００６０】
封止部材６は、これらガラス基板１４と接続基板５との周縁部の間に配置されており、その側面６ｂがガラス基板１４の傾斜部１４Ａに倣う傾斜面とされている。つまり、平面視において、ガラス基板１４の外縁部Ｑ２、内縁部Ｐ２および接続基板５の端縁部Ｕは一致しておらず、ガラス基板１４側から視て傾斜部１４Ａと封止部材６の側面６ｂとを確認できる構成とされている。
【００６１】
本実施形態の構成によれば、ガラス基板１４が接続基板５よりも小さく、かつ、透明基板３０の傾斜部３０Ａに対応する辺に設けられた傾斜部１４Ａによってガラス基板１４の端部側の厚みが薄くなっていることから、この傾斜部１４Ａと、透明基板３０の傾斜部３０Ａとによってガラス基板１４の端部がより変形し易くなる。
【００６２】
また、本実施形態ではガラス基板１４の大きさが接続基板５よりも小さい形状とされており、その端部が接続基板５の端部よりも面方向内側に位置している。このため、ガラス基板１４と接続基板５との重畳領域が小さくなり、ひいてはガラス基板１４に対して応力が作用する範囲が小さくなる。
封止幅を小さくすると集中応力も小さくなるが、封止幅を狭くすると電気泳動層３１に対する封止性が低下してしまうおそれがある。本実施形態の構成によれば、電気泳動層３１に対する封止性能を確保したままガラス基板１４に対する応力緩和を図れる構成となっており、これによってガラス基板４の割れが防止される。
【００６３】
また、ガラス基板１４の傾斜部１４Ａと透明基板３０の傾斜部３０Ａとの傾斜角度が略等しい角度に設定されていてもいいし、異なる角度に設定されていてもよい。透明基板３０の傾斜部３０Ａと封止部材６の側面６ｂとの間で設定される封止幅が、電気泳動シート３に対する防湿性を十分に確保することのできる幅であればよい。
ガラス基板１４の大きさは、該ガラス基板４と接続基板５との間に配置される封止部材６によって封止性を十分に確保することのできる大きさとする。
また、封止部材６がガラス基板４や接続基板５の側面までもを覆うようにして設けられていてもよい。
【００６４】
なお、接続基板５と大きさが等しい第１実施形態のガラス基板４に傾斜部を設けてもよい。この構成により、傾斜部がない対向基板よりも端部を撓みやすくすることができる。
【００６５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００６６】
（電子機器）
次に、上記実施形態の電気光学装置（電気泳動表示装置１００，２００）を、電子機器に適用した場合について説明する。
図５は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００６７】
図６は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感及び柔軟性を有する書き換え可能なシートからなる本体１１０２を備えて構成されている。
【００６８】
図７は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６９】
以上の腕時計１０００、電子ペーパー１１００、及び電子ノート１２００によれば、本発明に係る電気光学装置が採用されているので、高耐久性で信頼性に優れ、表示品質の高い表示部を備えた電子機器となる。
【００７０】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置は好適に用いることができる。
【符号の説明】
【００７１】
１００，２００  電気泳動表示装置、２  素子基板、３  電気泳動シート、４  対向基板、５  接続基板、６  封止部材、６ｂ  側面、７  表示領域、８  非表示領域、９  上下導通材、Ｐ  内縁部、Ｑ  外縁部、Ｓ  外縁部、Ｔ  内縁部、Ｕ  端縁部、１０  電気泳動表示パネル、１４  ガラス基板１４Ａ  傾斜部、１４ｂ  内面、２０  基材、２０ａ  内面、２０ｂ  外面、２１  駆動層、２２  駆動回路素子、２４  絶縁層、２５  画素電極、２６  スイッチング素子、２７  端子、３０  透明基板、３０Ａ  傾斜部、３０Ｂ  傾斜部、３０ａ  外面、３０ｂ  内面、３１  電気泳動層、３２  マイクロカプセル、３３  接着層、５０  基材、５１  端子、１１００…電子ペーパー（電子機器）、１２００…電子ノート（電子機器）
【図１】
0005487993.tif 000002
【図２】
0005487993.tif 000003
【図３】
0005487993.tif 000004
【図４】
0005487993.tif 000005
【図５】
0005487993.tif 000006
【図６】
0005487993.tif 000007
【図７】
0005487993.tif 000008